(57)【要約】【課題】対象物を均一に照明する照明器具を提供する。【解決手段】実施形態によれば、光源モジュールと、器具本体と、反射板と、を備えた照明器具が提供される。前記光源モジュールは、内部に光源を有する。前記器具本体は、前記光源モジュールからの照射方向を調節する調節部材を有する。前記光源モジュールが前記反射板に取り付けられると共に、前記反射板が前記調節部材に係合することで前記光源モジュールの照射方向が可変する。【選択図】図１
2015225763.tif 000002
【特許請求の範囲】
【請求項１】
内部に光源を有する光源モジュールと；
前記光源モジュールからの照射方向を調節する調節部材を有する器具本体と；
前記光源モジュールが取り付けられると共に、前記調節部材に係合することで前記光源モジュールの照射方向が可変する反射板と；
を備えたことを特徴とする照明器具。
【請求項２】
前記器具本体は、両端に端板を有し、
前記調節部材は、前記端板の内壁面に設けられることを特徴とする請求項１記載の照明器具。
【請求項３】
前記調節部材に複数の切欠き凹部が設けられ、
前記反射板は、前記複数の切欠き凹部の１つに係合することを特徴とする請求項１または２に記載の照明装置。
【請求項４】
前記光源モジュールに凸部が設けられ、
前記反射板に、前記凸部が挿通される貫通孔が設けられることを特徴とする請求項１〜３のいずれか１つに記載の照明器具。
【請求項５】
前記光源モジュールは、前記光源を覆うカバーと、前記カバーの両端に設けられた側板と、を有し、
前記カバー及び前記側板の形状は、略台形状であることを特徴とする請求項１〜４のいずれか１つに記載の照明器具。
【請求項６】
前記反射板は、複数の屈曲部分を有することを特徴とする請求項１〜５のいずれか１つに記載の照明器具。
【発明の詳細な説明】
【技術分野】
【０００１】
本発明の実施形態は、照明器具に関する。
【背景技術】
【０００２】
天井に取り付けられて、天井に対して鉛直の壁面等を照明する照明器具がある。照明器具は、光源モジュールと、この光源モジュールを収容する器具本体と、を有する。光源モジュールと器具本体との間に反射板を設けることで、光源モジュールからの光が対象物に均一に照射される。このような照明器具において、対象物を均一に照明することが望まれる。
【先行技術文献】
【特許文献】
【０００３】
【特許文献１】特開２００２−２８９０２８号公報
【発明の概要】
【発明が解決しようとする課題】
【０００４】
本発明の実施形態は、対象物を均一に照明する照明器具を提供する。
【課題を解決するための手段】
【０００５】
本発明の実施形態によれば、光源モジュールと、器具本体と、反射板と、を備えた照明器具が提供される。前記光源モジュールは、内部に光源を有する。前記器具本体は、前記光源モジュールからの照射方向を調節する調節部材を有する。前記光源モジュールが前記反射板に取り付けられると共に、前記反射板が前記調節部材に係合することで前記光源モジュールの照射方向が可変する。
【発明の効果】
【０００６】
本発明の実施形態によれば、対象物を均一に照明する照明器具を提供することができる。
【図面の簡単な説明】
【０００７】
【図１】図１（ａ）〜図１（ｃ）は、本実施形態の照明器具の模式図である。
【図２】図２（ａ）及び図２（ｂ）は、本実施形態の照明器具の内部を示した図である。
【図３】図３（ａ）及び図３（ｂ）は、本実施形態の光源モジュールの模式的斜視図である。
【図４】図４（ａ）及び図４（ｂ）は、光源モジュールと反射板との取り付けを説明する図である。
【図５】図５（ａ）及び図５（ｂ）は、光源モジュールと反射板との取り付けを説明する図である。
【図６】本実施形態の器具本体の一部の模式図である。
【図７】反射板と器具本体との取り付けを説明する図である。
【発明を実施するための形態】
【０００８】
実施形態に係る発明は、内部に光源を有する光源モジュールと；前記光源モジュールからの照射方向を調節する調節部材を有する器具本体と；前記光源モジュールが取り付けられると共に、前記調節部材に係合することで前記光源モジュールの照射方向が可変する反射板と；を備えたことを特徴とする照明器具である。
この照明器具によれば、対象物を均一に照明することができる。
【０００９】
また、前記器具本体は、両端に端板を有し、前記調節部材は、前記端板の内壁面に設けられることを特徴とする照明器具である。
この照明器具によれば、対象物を均一に照明することができる。
【００１０】
また、前記調節部材に複数の切欠き凹部が設けられ、前記反射板は、前記複数の切欠き凹部の１つに係合することを特徴とする照明器具である。
この照明器具によれば、対象物を均一に照明することができる。
【００１１】
また、前記光源モジュールに凸部が設けられ、前記反射板に、前記凸部が挿通される貫通孔が設けられることを特徴とする照明器具である。
この照明器具によれば、光源モジュールと前記反射板とが外れることを抑制できる。
【００１２】
また、前記光源モジュールは、前記光源を覆うカバーと、前記カバーの両端に設けられた側板と、を有し、前記カバー及び前記側板の形状は、略台形状であることを特徴とする照明器具である。
この照明器具によれば、対象物を均一に照明することができる。
【００１３】
また、前記反射板は、複数の屈曲部分を有することを特徴とする照明器具である。
この照明器具によれば、対象物を均一に照明することができる。
【００１４】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１５】
図１（ａ）〜図１（ｃ）は、本実施形態の照明器具の模式図である。
図２（ａ）及び図２（ｂ）は、本実施形態の照明器具の内部を示した図である。
図３（ａ）及び図３（ｂ）は、本実施形態の光源モジュールの模式的斜視図である。
【００１６】
図１（ａ）において、照明器具１００の外観図が示されている。図１（ｂ）及び図１（ｃ）において、照明器具１００の平面図及び側面図がそれぞれ示されている。図２（ａ）及び図２（ｂ）は、図１（ｂ）及び図１（ｃ）から見た内部の状態をそれぞれ示している。なお、図３（ａ）及び図３（ｂ）は、光源モジュール２０を取り外した状態を示している。
【００１７】
図１及び図２に表すように、照明器具１００は、器具本体１０と、光源モジュール２０と、電源装置３０と、反射板４０と、を備える。
本実施形態の照明器具１００において、器具本体１０の取付面１０ａが天井面に取り付けられている。照明器具１００は、天井面の下方に位置する対象物に光を照射する。例えば、照明器具１００は、教室の天井面に設置され、天井に対して鉛直の壁面に設けた黒板全体を照明する黒板灯である。なお、照明器具１００は、天井面に限ることなく、例えば、壁面などに取り付けても良い。
【００１８】
器具本体１０は、シャーシ１１と、端板１２と、を備える。器具本体１０として、鉄、アルミニウム、または、ステンレスなどの金属材料が用いられる。シャーシ１１は、複数の矩形状の金属板を組み合わせて形成されている。端板１２は、扇形状を有し、シャーシ１１の長手方向の端部のそれぞれに設けられている。シャーシ１１の両端部に設けられた端板１２は、シャーシ１１の端部を閉塞する。器具本体１０は、光源モジュール２０と、電源装置３０と、反射板４０と、を収容するようにボックス形状に形成されている。
【００１９】
器具本体１０には、ボルト、ナット、ワッシャー等を有する取付金具１３が取り付けられる。照明器具１００は、取付金具１３を介して天井面に取り付けられる。器具本体１０は、例えば、天井面と略面一になるように、天井面に取り付けられる。つまり、照明器具１００は、埋め込み型の器具である。器具本体１０をネジなどで室内側から天井に取り付けてもよい。つまり、照明器具１００は、直付け型の器具として用いても良い。
【００２０】
光源モジュール２０は、その内部に光源を有する。光源モジュール２０は、電源装置３０からの電力の供給に応じて光源を点灯させ、光を照射する。光源モジュール２０は、反射板４０を介して器具本体１０に取り付けられる。
【００２１】
図３に表すように、光源モジュール２０は、支持体２１と、カバー２２と、保持部材２３と、側板２４と、を備える。支持体２１は、光源が設けられた基板等を支持する。
【００２２】
光源には、例えば、発光ダイオード（Light Emitting Diode：ＬＥＤ）が用いられる。光源は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源は、電球などでも良い。
【００２３】
カバー２２は、支持体２１に取り付けられ、支持体２１上の基板に設けられた光源を覆う。カバー２２は、外力や塵埃などから光源を保護する。カバー２２は、光透過性を有する。カバー２２は、光源の放出する光に対して光透過性である。カバー２２は、透明である。カバー２２は、光拡散性を有しても良い。カバー２２には、光透過性の樹脂材料が用いられる。
【００２４】
保持部材２３は、カバー２２を支持体２１に保持する。つまり、保持部材２３は、カバー２２を支持体２１から外れないようにする。光源モジュール２０には、複数の保持部材２３が設けられる。この例では、３つの保持部材２３が設けられる。保持部材２３の数は、任意で良い。保持部材２３の数は、１つまたは２つでも良いし、４つ以上でも良い。
【００２５】
側板２４は、カバー２２の長手方向の両端部に設けられている。側板２４の形状は、略台形状である。側板２４の形状を略台形状にすると、光源モジュール２０からの出射光を対象物に均一に照射できる。
【００２６】
電源装置３０は、光源モジュール２０に電力を供給する。電源装置３０は、器具本体１０に取り付けられている。電源装置３０は、光源モジュール２０に取り付けても良い。つまり、器具本体１０は、電源装置３０を直接支持してもよいし、光源モジュール２０を介して電源装置３０を支持しても良い。
【００２７】
反射板４０は、固定部４１と、取付部４２と、係合部４３と、を有する。反射板４０は、光源モジュール２０内の光源から照射された光を反射する。反射板４０は、照明器具１００が照明する対象物に対して所定の角度で傾斜して対向している。反射板４０によって反射された光は、対象物に向かう。
【００２８】
反射板４０は、例えば、一枚の板金から形成されている。反射板４０は、任意の形状を有する。反射板４０は、固定部４１、取付部４２及び係合部４３の形状等に基づいて複数の屈曲部分４０ｆを有する。
【００２９】
固定部４１において、反射板４０の一端に設けられたねじ孔４１ａ、４１ｂと、器具本体１０に設けられたねじ孔（図示せず）と、にねじ１４が挿通することで、反射板４０は、器具本体１０に固定される。また、取付部４２において、光源モジュール２０と反射板４０と、は、取り付けられる。係合部４３において、反射板４０と、器具本体１０と、は係合する。つまり、固定部４１及び係合部４３によって、反射板４０は、器具本体１０に取り付けられる。
以下において、取付部４２及び係合部４３の説明をする。
【００３０】
図４（ａ）及び図４（ｂ）は、光源モジュールと反射板との取り付けを説明する図である。
図５（ａ）及び図５（ｂ）は、光源モジュールと反射板との取り付けを説明する図である。
【００３１】
図４（ａ）において、反射板４０と光源モジュール２０との分解斜視図が示されている。図４（ｂ）において、光源モジュール２０の支持体２１及び保持部材２３の拡大図が示されている。図５（ａ）及び図５（ｂ）において、光源モジュール２０を反射板４０に取り付ける部分の拡大図が示されている。
【００３２】
保持部材２３は、対向部５０と、把持部５１と、湾曲部５２と、を有する。把持部５１は、対向部５０の一端に設けられる。把持部５１は、湾曲部５２と支持体２１とを挟んで把持する。把持部５１は、例えば、板バネ状であり、湾曲部５２と支持体２１とを挟むことにより、支持体２１の係合が解除されてしまうことを抑制する。保持部材２３は、把持部５１で挟むことにより、カバー２２の開きを抑制する。
【００３３】
このように、保持部材２３は、支持体２１に取り付けられ、カバー２２を支持体２１に保持する。支持体２１に対して３つの保持部材２３が取り付けられる。
【００３４】
把持部５１には、抑え部５１ａと、爪部５１ｂ（凸部）と、が設けられている。抑え部５１ａは、略Ｕ字状に折り曲げられ、湾曲部５２と支持体２１とを挟む部分である。爪部５１ｂは、外側に向かって突出する。
【００３５】
爪部５１ｂは、反射板４０の取り付けに用いられる。反射板４０には、連続した開口部４０ｏ１、４０ｏ２が設けられている。図５（ａ）に表すように、開口部４０ｏ１に爪部５１ｂを挿通した後、爪部５１ｂを開口部４０ｏ２にスライドして固定する。また、反射板４０には、開口部４０ｏ３が設けられている。図５（ｂ）に表すように、開口部４０ｏ３に爪部５１ｂを挿通して固定する。開口部４０ｏ１、４０ｏ２、４０ｏ３は、切欠き部である。
【００３６】
３つの保持部材２３が光源モジュール２０に設けられているので、爪部５１ｂを固定する箇所は、反射板４０に６箇所である。光源モジュール２０の両端側に位置する２つの保持部材２３について、爪部５１ｂは、図５（ａ）のように固定される。また、光源モジュール２０の両端側に位置しない１つの保持部材２３について、爪部５１ｂは、図５（ｂ）のように固定される。つまり、４つの爪部５１ｂが図５（ａ）のように固定され、２つの爪部５１ｂが図５（ｂ）のように固定される。
【００３７】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール２０のコストを抑えることができる。例えば、保持部材２３に樹脂材料を用いる場合、保持部材２３は、射出成形などによって形成された１つの部品であることが好ましい。
【００３８】
図６は、器具本体の一部の模式図である。
図７は、反射板と器具本体との取り付けを説明する図である。
図６において、端板１２の内壁面が示されている。図７において、反射板４０と端板１２との係合が示されている。
【００３９】
図６に表すように、調節部材６０と、支持部材６１と、が端板１２の内壁面に設けられている。照明器具１００は２つの端板１２を備えており、調節部材６０は、端板１２の両方に設けられている。端板１２の一部は円弧を有しており、この円弧の一端に調節部材６０が設けられている。調節部材６０は、例えば、端板１２と同様の材料を用いて形成される。調節部材６０は、金属材料を用いて形成される。
【００４０】
調節部材６０は、切欠き凹部６０ａ、６０ｂ、６０ｃを有する。調節部材６０は、３つの切欠き凹部を有するが、調節部材６０は、１つまたは２つの切欠き凹部を有しても良い。調節部材６０は、４つ以上の切欠き凹部を有しても良い。また、１つの支持部材６１が端板１２の内壁面に設けられているが、２つ以上の支持部材６１を設けても良い。支持部材６１は、端板１２の内壁面に任意に配置される。
【００４１】
図７に表すように、反射板４０の角部４０ｃ１が調節部材６０の切欠き凹部６０ａに係合する。また、反射板４０の角部４０ｃ２は、支持部材６１によって支持される。角部４０ｃ１は、切欠き凹部６０ａ、６０ｂ、６０ｃのいずれかに係合する。光源モジュール２０は反射板４０に取り付けられているので、角部４０ｃ１に係合する切欠き凹部６０ａ、６０ｂ、６０ｃを変えることで、光源モジュール２０の光源から照射される光の方向を変えることができる。つまり、端板１２の内壁面に設けられた切欠き凹部６０ａ、６０ｂ、６０ｃの形成位置がそれぞれ異なるので、反射板４０に係合する切欠き凹部６０ａ、６０ｂ、６０ｃを変えると、光源モジュール２０の光源から照射される光の方向を変えることができる。光源モジュール２０の光源から照射される光の方向が調節部材６０によって調節できる。
【００４２】
調節部材６０の切欠き凹部６０ａ、６０ｂ、６０ｃの形成位置を変えることによって、光源モジュール２０の光源から照射される光の方向を段階的に調節できる。照明器具１００が天井面に取り付けられ、光を照射する対象が天井面に対して鉛直の壁面であるとする。このような場合、壁面に垂直な方向に対する光の入射角度が所定の角度を成すように、切欠き凹部６０ａ、６０ｂ、６０ｃを形成することができる。例えば、反射板４０が切欠き凹部６０ａ、６０ｂ、６０ｃに係合する場合に壁面に垂直な方向に対する光の入射角度をそれぞれ５５度、６０度、６５度になるように、切欠き凹部６０ａ、６０ｂ、６０ｃを形成することができる。
【００４３】
本実施形態によれば、対象物を均一に照明する照明器具を提供することができる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、前述の各実施形態は、相互に組み合わせて実施することができる。
【符号の説明】
【００４５】
１０…器具本体、  １０ａ…取付面、  １１…シャーシ、  １２…端板、  １３…取付金具、  １４…ねじ、  ２０…光源モジュール、  ２１…支持体、  ２２…カバー、  ２３…保持部材、  ２４…側板、  ３０…電源装置、  ４０…反射板、  ４０ｃ１、４０ｃ２…角部、  ４０ｆ…屈曲部分、  ４０ｏ１〜４０ｏ３…開口部、  ４１…固定部、  ４２…取付部、  ４３…係合部、  ５０…対向部、  ５１…把持部、  ５１ａ…抑え部、  ５１ｂ…爪部、  ５２…湾曲部、  ６０…調節部材、  ６０ａ〜６０ｃ…切欠き凹部、  ６１…支持部材、  １００…照明器具
【図１】
2015225763.tif 000003
【図２】
2015225763.tif 000004
【図３】
2015225763.tif 000005
【図４】
2015225763.tif 000006
【図５】
2015225763.tif 000007
【図６】
2015225763.tif 000008
【図７】
2015225763.tif 000009